Podtech/llm-jp-corpus-v4-ja_patent huggingface dataset:
【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
選ばれた職員に医療警報を発送するための方法において、
警報発生装置により発生した警報信号を受信するステップ、
複数の職員の位置を追跡するように構成される位置追跡システムから、前記複数の職員の現在位置及びＩＤを得るステップ、
前記警報信号を受信すると、
前記複数の職員のどの職員が前記警報に対する応答に応対できるかを決定するステップであり、特定の職員の位置が規定される応対不能エリアにある場合、特定の職員は応対できないと決定される、前記決定するステップ、
前記警報発生装置の位置と前記選ばれた職員の位置との間の距離が、前記警報発生装置の位置と応答に応対もできる前記選ばれた職員以外の適切な前記複数の職員の少なくとも１人の位置との間の距離よりも短いと判断することにより、前記適切な複数の職員から前記警報の種類に対する応答に応対できる選ばれた職員を選択するステップ、並びに
前記選ばれた職員に関連付けられる個別にアドレス指定可能な携帯装置に警報信号を送るステップ
を有する方法。
【請求項２】
前記警報信号は警報の種類を有し、並びに
前記選ばれた職員を選択するステップはさらに、
前記複数の職員のどの職員が前記警報の種類に対する応答に適切であるかを決定するステップであり、職員のＩＤに関連付けられる適正基準が前記警報の種類と一致する場合、特定の職員は適切であると決定される、前記決定するステップ、
前記警報発生装置の位置と前記選ばれた職員の位置との間の距離が、前記警報発生装置の位置と応答するのに適切でもある前記選択された職員以外の適切な前記複数の職員の少なくとも１人の位置との間の距離よりも短いと少なくとも判断することにより、前記適切な複数の職員から前記警報の種類に対する応答に適切である職員を選択するステップ、
を有する請求項１に記載の医療警報を発送するための方法。
【請求項３】
請求項１又は２に記載の医療警報を発送するための方法において、
前記警報発生装置は、携帯型の警報発生装置であり、前記方法は、
前記携帯型の警報発生装置の位置を追跡するように構成される位置追跡システムから前記携帯型の警報発生装置の現在位置を得るステップ
を有する方法。
【請求項４】
前記携帯型の警報発生装置は転倒検出器を有し、前記携帯型の警報発生装置を携行している人の転倒を前記転倒検出器が検出すると、前記携帯型の警報発生装置が医療警報を発生させるように構成される、請求項３に記載の医療警報を発送するための方法。
【請求項５】
前記携帯型の警報発生装置の位置が警報期間を超過する期間、警報エリアに留まっていることを検出するステップ、
を有する請求項３に記載の医療警報を発送するための方法。
【請求項６】
請求項１乃至５の何れか一項に記載の医療警報を発送するための方法において、
複数の表示装置から前記警報発生装置の位置に最も近い選ばれた表示装置を選択するステップ、及び
前記警報信号を受信すると、表示するための前記選ばれた表示装置にメッセージを送るステップ
を有する方法。
【請求項７】
前記選ばれた職員から予想応答時間を受信するステップを有し、及び
前記選ばれた表示装置に表示するためのメッセージは前記予想応答時間を有する、請求項６に記載の医療警報を発送するための方法。
【請求項８】
選ばれた職員に医療警報を発送するための警報ルーターにおいて、
警報発生装置により発生した警報信号を受信するように構成される受信器、
複数の職員の位置を追跡するように構成される位置追跡システムから、前記複数の職員の現在位置及びＩＤを得るように構成される位置取得器、
前記警報信号を受信すると、
前記複数の職員のどの職員が前記警報に対する応答に応対できるかを決定し、特定の職員の位置が規定される応対不能エリアにある場合、特定の職員を応対できないと決定し、
前記警報発生装置の位置と前記選ばれた職員の位置との間の距離が、前記警報発生装置の位置と応答に応対もできる前記選ばれた職員以外の適切な前記複数の職員の少なくとも１人の位置との間の距離よりも短いと判断することにより、前記適切な複数の職員から前記警報の種類に対する応答に応対できる選ばれた職員を選択するように構成される選択器、並びに
前記選ばれた職員に関連付けられる個別にアドレス指定可能な携帯装置に警報信号を送るように構成される警報信号送信器
を有する警報ルーター。
【請求項９】
コンピュータプログラムがコンピュータ上で動いているとき、請求項１乃至７の何れか一項に記載のステップを全て行うのに適合するコンピュータプログラムコード手段を有する、コンピュータプログラム。
【請求項１０】
コンピュータ読取可能媒体に組み込まれる請求項９に記載のコンピュータプログラム。
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
少なくとも１つの保持タブに固定して配置される少なくとも１つの導電性エラストマーピンであって、前記保持タブは、横方向に延在する少なくとも１つの曲げ可能な導電性突出部を有し、前記導電性突出部は、前記ピンの少なくとも１つの側部に接続される１つの部分を有する、少なくとも１つの導電性エラストマーピンと、
ハウジングであって、前記保持タブの前記導電性突出部の端部で終端する前記導電性突出部の別の部分と係合するための捕捉部または凹部を有し、これにより、前記少なくとも１つの導電性エラストマーピンを案内及び配置し、前記導電性突出部の前記端部を前記ハウジングの捕捉部または凹部内に取り外し可能に固定し、前記ハウジングの凹部内の前記導電性突出部の機械的保持部と導電部とを形成する、前記ハウジングと、
を備える電気相互接続装置。
【請求項２】
前記導電部により前記ピンの圧縮時に電気的接続部が形成される、請求項１に記載の装置。
【請求項３】
前記ハウジングが、前記ピンを前記ハウジング内に案内しかつ別の捕捉部を有する面取りされた表面を含み、前記保持タブが、前記保持タブにおける、前記ハウジングの前記捕捉部に係合する前記突出部とは反対の側から横方向に延在する別の突出部を有し、前記別の突出部が、前記面取りされた表面の前記捕捉部と係合し、前記機械的保持部と前記導電部とを形成する、請求項１に記載の装置。
【請求項４】
前記保持タブが金属で作られる、請求項１に記載の装置。
【請求項５】
前記保持タブが、摺動カラーとして構成された固体金属製リングとして形成され、かつ前記エラストマーピンの中央部の周りに設置される、請求項１に記載の装置。
【請求項６】
前記エラストマーピンが、金属製の前記摺動カラーの一方の側に配置される、請求項５に記載の装置。
【請求項７】
前記エラストマーピンが、前記エラストマーピン上に接触ピンを有するように金属製の前記摺動カラーガイドの一方の側に配置される、請求項５に記載の装置。
【請求項８】
前記エラストマーピンが、金属製の前記摺動カラーガイドの一方の側に配置され、金属製の前記摺動カラーガイドが、前記エラストマーピンとは反対の側に接触ピンを有する、請求項５に記載の装置。
【請求項９】
前記少なくとも１つの突出部が、前記エラストマーピンの周囲に連続的なリングとして形成される、請求項１に記載の装置。
【請求項１０】
前記突出部が、前記エラストマーピンの周囲に連続的なリングとして形成される、請求項１に記載の装置。
【請求項１１】
前記ハウジングが圧縮止めとして作用するように、前記ハウジングは前記エラストマーピンの圧縮量を制御する所定の高さを有する、請求項１に記載の装置。
【請求項１２】
少なくとも１つの導電性エラストマーピンであって、横方向に延在する少なくとも１つの曲げ可能な導電性突出部を有し、前記導電性突出部は、前記エラストマーピンの少なくとも１つの側部に接続される１つの部分を有する、少なくとも１つの導電性エラストマーピンと、
ハウジングであって、前記タブの前記導電性突出部の端部で終端する前記導電性突出部の別の部分と係合するための部分を有し、これにより、前記少なくとも１つの導電性エラストマーピンの各々を案内及び配置し、前記導電性突出部の前記端部を前記ハウジング内に取り外し可能に固定し、前記少なくとも１つの導電性エラストマーピンを案内及び配置し、前記導電性突出部の前記端部を前記ハウジングの前記捕捉部または凹部内に取り外し可能に固定し、前記ハウジングの前記凹部内の前記導電性突出部の機械的保持部と導電部とを形成する、前記ハウジングと、
を備える電気相互接続装置。
【請求項１３】
前記ピンが圧縮されたとき電気的接続部が形成される、請求項１２に記載の装置。
【請求項１４】
電気相互接続装置のための方法であって、
横方向に延在する少なくとも１つの曲げ可能な導電性突出部を有する少なくとも１つの保持タブに、少なくとも１つの導電性エラストマーピンを固定して配置するステップであって、前記導電性突出部は、前記エラストマーピンの少なくとも１つの側部に接続される１つの部分を有する、ステップと、
前記保持タブの前記導電性突出部の端部で終端する前記導電性突出部の別の部分と係合する捕捉部または凹部を有するハウジングを係合させるステップであって、これにより、前記少なくとも１つの導電性エラストマーピンの各々を案内及び配置し、前記導電性突出部の前記端部を前記ハウジング内に取り外し可能に固定し、前記少なくとも１つの導電性エラストマーピンを案内及び配置し、前記導電性突出部の前記端部を前記ハウジングの前記捕捉部または凹部内に取り外し可能に固定し、前記ハウジングの凹部内の前記導電性突出部の機械的保持部と導電部とを形成する、ステップと、
を含む、方法。
【請求項１５】
前記ハウジングの一部として少なくとも１つの面取りされた表面を設けるステップであって、前記面取りされた表面が別の凹部を有し、前記保持タブが、反対側の前記タブの側から横方向に延在する別の突出部を有し、前記突出部が前記ハウジングの前記捕捉部と係合する、ステップと、
前記エラストマーピンが圧縮されたときに前記別の突出部を前記面取りされた表面の前記捕捉部と係合させるステップと、
をさらに含む、請求項１４に記載の方法。
【請求項１６】
前記突出部を前記ピンの周囲に連続的なリングとして形成するステップをさらに含む、請求項１４に記載の方法。
【請求項１７】
電気相互接続装置であって、
少なくとも１つの曲げ可能な導電性ディスクに固定して配置される少なくとも１つの導電性エラストマーピンを備えており、前記ディスクは、電気回路または構成要素と導電性の柔軟な接続部を形成するように前記ピンの少なくとも１つの側部に接続される１つの部分を有しており、前記ディスクは、前記電気回路または構成要素のハウジングの凹部または捕捉部内に取り外し可能に固定される別の部分を有しており、これにより、前記ハウジングの前記凹部内の前記突出部の機械的保持部と導電部とを形成する、電気相互接続装置。
【請求項１８】
前記ディスクは、いかなる幾何学形状または形態にも限定されない、請求項１７に記載の電気相互接続装置。
【請求項１９】
前記ディスクは前記電気回路または構成要素のパッドにはんだ付けされる、請求項１７に記載の電気相互接続装置。
【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
ネットワークにおいてバーチャルマシンライブマイグレーションをサポートするためのシステムであって、
１つ以上のマイクロプロセッサと、
前記１つ以上のマイクロプロセッサに関連付けられるファブリックアダプタとを含み、前記ファブリックアダプタは複数のバーチャルホストチャネルアダプタ（ＨＣＡ）に関連付けられており、前記バーチャルホストチャネルアダプタ（ｖＨＣＡ）の各々は、別個のキューペア（ＱＰ）スペースに関連付けられており、前記システムはさらに、
第１のホストから第２のホストにライブマイグレーションを行なうよう動作する少なくとも１つのバーチャルマシンを含み、前記少なくとも１つのバーチャルマシンには、前記キューペア（ＱＰ）スペースにおけるキューペア（ＱＰ）に関連付けられる前記バーチャルホストチャネルアダプタ（ｖＨＣＡ）が付与されており、
前記キューペア（ＱＰ）は、前記ライブマイグレーションについてピアＱＰに信号送信するよう動作し、マイグレーションの後に前記ピアＱＰにアドレス情報を提供する、システム。
【請求項２】
前記少なくとも１つのバーチャルマシンを管理する少なくとも１つのバーチャルマシンモニタをさらに含み、前記バーチャルマシンの各々は、プライベート仮想アドレススペースに関連付けられる、請求項１に記載のシステム。
【請求項３】
前記ファブリックアダプタは、仮想スイッチモデルおよび拡張ホストチャネルアダプタ（ＨＣＡ）モデルの少なくとも１つを実現する、請求項１または２に記載のシステム。
【請求項４】
中断状態は、マイグレートされたＱＰとマイグレートされたＱＰに接続されるリモートピアＱＰとの両方に適用可能である、請求項１〜３のいずれか１項に記載のシステム。
【請求項５】
特別なヘッダ情報および／または非送信請求メッセージが、ピア同士の間の通信および通信状態の更新をサポートするために使用可能である、請求項１〜４のいずれか１項に記載のシステム。
【請求項６】
無効なｖＨＣＡを目標とする入力パケットがホストにて受け取られると、前記ホストは、ローカル非同期イベントを生成し、前記入力パケットのソースに非送信請求パケットを送信可能であり、前記入力パケットのソースに関連付けられるキューペア（ＱＰ）は、自動的に中断状態への遷移を実行可能である、請求項１〜５のいずれか１項に記載のシステム。
【請求項７】
マイグレートされたｖＨＣＡから送られるパケットは、マイグレートされた前記ｖＨＣＡが新しい位置で再び作動状態になる前に更新可能であるマイグレーションカウントフィールドを包含可能である、請求項１〜６のいずれか１項に記載のシステム。
【請求項８】
マイグレートされたｖＨＣＡは、非中断ペンディング状態のＱＰで開始可能である、請求項１〜７のいずれか１項に記載のシステム。
【請求項９】
ＬＩＤ値をＨＣＡポートに割り当て可能なサブネットマネージャをさらに含み、前記ＬＩＤ値は、前記ＨＣＡポートに既に関連付けられる任意の他のＬＩＤ値から独立して、関連するＨＣＡポートへのパケット転送を促進するよう前記サブネットマネージャが使用することを決定する、請求項１〜８のいずれか１項に記載のシステム。
【請求項１０】
前記サブネットマネージャは、アドレシングのためのユニークＬＩＤを必要とするＶＭにａｄｍｉｎ  ＬＩＤを割り当て可能である、請求項９に記載のシステム。
【請求項１１】
ネットワークにおいてバーチャルマシンライブマイグレーションをサポートするための方法であって、
ファブリックアダプタを複数のバーチャルホストチャネルアダプタ（ＨＣＡ）に関連付けるステップを含み、前記バーチャルホストチャネルアダプタ（ｖＨＣＡ）の各々は、別個のキューペア（ＱＰ）スペースに関連付けられており、前記方法はさらに、
少なくとも１つのバーチャルマシンを介して、第１のホストから第２のホストにライブマイグレーションを行なうステップを含み、前記少なくとも１つのバーチャルマシンには、前記キューペア（ＱＰ）スペースにおけるキューペア（ＱＰ）に関連付けられる前記バーチャルホストチャネルアダプタ（ｖＨＣＡ）が付与されており、前記方法はさらに、
前記キューペア（ＱＰ）を介して、前記ライブマイグレーションについてピアＱＰに信号送信し、マイグレーションの後に前記ピアＱＰにアドレス情報を提供するステップを含む、方法。
【請求項１２】
コンピュータ読取可能なプログラムであって、実行されると、システムに、
ファブリックアダプタを複数のバーチャルホストチャネルアダプタ（ＨＣＡ）に関連付
けるステップを行わせ、前記バーチャルホストチャネルアダプタ（ｖＨＣＡ）の各々は、別個のキューペア（ＱＰ）スペースに関連付けられており、さらに、
少なくとも１つのバーチャルマシンを介して、第１のホストから第２のホストにライブマイグレーションを行なうステップを行わせ、前記少なくとも１つのバーチャルマシンには、前記キューペア（ＱＰ）スペースにおけるキューペア（ＱＰ）に関連付けられる前記バーチャルホストチャネルアダプタ（ｖＨＣＡ）が付与されており、さらに、
前記キューペア（ＱＰ）を介して、前記ライブマイグレーションについてピアＱＰに信号送信し、マイグレーションの後に前記ピアＱＰにアドレス情報を提供するステップを行わせる、コンピュータ読取可能なプログラム。
【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
光源と、ルミネセンス材料とを備える照明デバイスであって、前記ルミネセンス材料が、第１の有機ルミネセンス材料と、第２の有機ルミネセンス材料とを備え、前記光源が、前記ルミネセンス材料と共に、動作中に白色の照明デバイス光を発生し、前記第１の有機ルミネセンス材料が、第１の劣化速度で時間と共に劣化し、前記第２の有機ルミネセンス材料が、第２の劣化速度で時間と共に劣化し、前記第１の劣化速度が前記第２の劣化速度よりも大きく、前記第１の有機ルミネセンス材料が、第１の層内に構成され、前記第２の有機ルミネセンス材料が、第２の層内に構成され、前記第１の層及び／又は前記第２の層が、更に、前記第１の劣化速度と前記第２の劣化速度との差を少なくとも一部補償し、前記照明デバイスの動作時間中に照明デバイス光を実質的に白色に保ち、前記第１の層が、酸素バリアによって取り囲まれている、照明デバイス。
【請求項２】
照明デバイス光は、前記照明デバイスの動作時間中に、ＢＢＬ（黒体軌跡）から特に１５ＳＤＣＭ（等色標準偏差）内に保たれる、請求項１に記載の照明デバイス。
【請求項３】
前記ルミネセンス材料は、前記照明デバイスの少なくとも５０００時間の動作時間中、照明デバイス光を白色に維持する、請求項１又は２に記載の照明デバイス。
【請求項４】
前記ルミネセンス材料は、前記照明デバイスの少なくとも２００００時間の動作時間中、照明デバイス光を白色に維持する、請求項１乃至３の何れか一項に記載の照明デバイス。
【請求項５】
前記第１の層は、前記第１の有機ルミネセンス材料が埋め込まれる第１のホスト材料を備え、前記第２の層は、前記第２の有機ルミネセンス材料が埋め込まれる第２のホスト材料を備える、請求項１乃至４の何れか一項に記載の照明デバイス。
【請求項６】
前記第１の有機ルミネセンス材料は、前記第２の有機ルミネセンス材料よりも低い光源光強度にさらされる、請求項１乃至５の何れか一項に記載の照明デバイス。
【請求項７】
前記第１の層は、前記第１の層の上流面と下流面との間で第１の層厚さを有し、前記第２の層は、前記第２の層の上流面と下流面との間で第２の層厚さを有し、前記第１の層厚さは、前記第２の層厚さよりも大きい、請求項１乃至６の何れか一項に記載の照明デバイス。
【請求項８】
前記第１の層が、前記第１の層の上流面と下流面との間で第１の層厚さを有し、前記第１の層内の前記第１の有機ルミネセンス材料は、光源光と、前記第２の有機ルミネセンス材料によって発生される光とからなる群から選択される励起光によって励起可能であり、前記照明デバイスの動作中、励起光は、前記上流面から前記下流面に向かう方向に進んでおり、前記第１の層厚さは、励起光の波長範囲の少なくとも一部にわたって、前記波長範囲部分の全ての光が、前記下流面に到達する前に前記第１の有機ルミネセンス材料によって吸収されることを課すように選択される、請求項１乃至５の何れか一項に記載の照明デバイス。
【請求項９】
前記第２の層が、前記第２の層の上流面と下流面との間で第２の層厚さを有し、前記第２の層内の前記第２の有機ルミネセンス材料は、光源光と、前記第１の有機ルミネセンス材料によって発生される光とからなる群から選択される励起光によって励起可能であり、前記照明デバイスの動作中、励起光は、前記上流面から前記下流面に向かう方向に進んでおり、前記第２の層厚さは、励起光の波長範囲の少なくとも一部にわたって、前記波長範囲部分の光の一部のみが、前記下流面に到達するときに前記第２の有機ルミネセンス材料によって吸収されることを課すように選択される、請求項８に記載の照明デバイス。
【請求項１０】
前記ルミネセンス材料は、更に無機ルミネセンス材料を備え、前記第１の有機ルミネセンス材料は、動作中に第１の所定の波長範囲内で発光し、前記無機ルミネセンス材料は、前記第１の有機ルミネセンス材料よりも遅く劣化し、前記無機ルミネセンス材料は、動作中に前記第１の所定の波長範囲と少なくとも一部重なる第２の所定の波長範囲内で発光する、請求項１乃至５の何れか一項に記載の照明デバイス。
【請求項１１】
前記第１の有機ルミネセンス材料は、前記照明デバイスの動作中、前記第２の有機ルミネセンス材料によって生成される光により少なくとも部分的に励起される、請求項５乃至１０の何れか一項に記載の照明デバイス。
【請求項１２】
前記第１の有機ルミネセンス材料は、第１の濃度で前記第１の層内に構成され、前記第２の有機ルミネセンス材料は、第２の濃度で前記第２の層内に構成され、前記第１の濃度は前記第２の濃度よりも高い、請求項１乃至４の何れか一項に記載の照明デバイス。
【請求項１３】
少なくとも３つの有機ルミネセンス材料を備える、請求項１乃至１２の何れか一項に記載の照明デバイス。
【請求項１４】
前記光源は、青色放射発光デバイスを備える、請求項１乃至１３の何れか一項に記載の照明デバイス。
【手続補正書】
【提出日】平成28年1月27日(2016.1.27)
【手続補正１】
【補正対象書類名】明細書
【補正対象項目名】発明の名称
【補正方法】変更
【補正の内容】
【発明の名称】イオン注入装置、およびイオン注入装置の動作方法
【手続補正２】
【補正対象書類名】明細書
【補正対象項目名】００２９
【補正方法】変更
【補正の内容】
【００２９】
入射角θは９０度未満の範囲内とすることができるが、スパッタの歩留まりを増やすために４０度より大きくすることもあり得る。一実施態様において、入射角θは７０度であってもよい。プラテン１１２のための走査システム（図示せず）が、スパッタ洗浄処理中にイオンビーム１０４がプラテン１１２のクランプ面１１４全体に当たるように、プラテンをＹ方向に垂直に並進させてもよい。一実施態様において、イオン注入装置１００は、約５〜１５ミリアンペア（ｍＡ）のイオンビーム電流を有する低いエネルギー（およそ５ｋｅＶ）のＡｒ＋イオンビームを提供してもよい。
【手続補正３】
【補正対象書類名】図面
【補正対象項目名】全図
【補正方法】変更
【補正の内容】
【図１】
2015518628.tif 000001
【図２Ａ】
2015518628.tif 000002
【図２Ｂ】
2015518628.tif 000003
【図２Ｃ】
2015518628.tif 000004
【図３】
2015518628.tif 000005
【図４】
2015518628.tif 000006
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
データ処理装置によって実施される方法であって、前記方法は、
コンテンツアイテムの要求を受信するステップと、
前記要求の受信に応じて、
クリエイティブを複数のクリエイティブから選択するステップであって、前記選択されたクリエイティブが、プロファイルを識別するプロファイル識別子を含む、ステップと、
前記選択されたクリエイティブに含まれる前記プロファイル識別子に基づいて前記識別されたプロファイルを取り出すステップであって、前記取り出したプロファイルが、前記選択されたクリエイティブのコンテンツの構造を定義している1つまたは複数の要素を含み、前記1つまたは複数の要素の各々が、前記選択されたクリエイティブについての1つまたは複数の属性を含む、ステップと、
前記選択されたクリエイティブから切り離されている1つまたは複数のコンテンツフィードからコンテンツデータを取り出すステップであって、前記コンテンツデータが、前記取り出したプロファイルに含まれる前記1つまたは複数の要素の前記1つまたは複数の属性の値を含む、ステップと、
前記取り出したプロファイルの前記1つまたは複数の要素によって定義されているコンテンツの前記構造に従って前記選択されたクリエイティブについての前記1つまたは複数の属性の値として前記コンテンツデータおよび前記選択されたクリエイティブをユーザデバイスによって表示するために、前記選択されたクリエイティブおよび前記取り出したコンテンツデータを前記ユーザデバイスに配信するステップとを含む、方法。
【請求項２】
前記要求が、前記ユーザデバイスにおけるアプリケーション実行から受信される、請求項1に記載の方法。
【請求項３】
前記クリエイティブが、最適化データおよび前記ユーザデバイスにおける前記アプリケーション実行に基づいて、前記複数のクリエイティブから選択される、請求項2に記載の方法。
【請求項４】
前記最適化データは、前記複数のクリエイティブについての実績の履歴、前記ユーザデバイスにおける前記アプリケーション実行に関連したデモグラフィック情報、または前記ユーザデバイスの性能を含む、請求項3に記載の方法。
【請求項５】
前記プロファイル識別子が、前記プロファイルに一意に対応する前記選択されたクリエイティブに埋め込まれた英数字の識別子である、請求項1に記載の方法。
【請求項６】
前記複数のクリエイティブの各々が、プロファイルに一意に対応する英数字の識別子を含む、請求項5に記載の方法。
【請求項７】
前記1つまたは複数のコンテンツフィードが、カンマ区切りファイル、スプレッドシート、データベース、またはデータベースクエリを含む一群から選択される、請求項1に記載の方法。
【請求項８】
選択されたクリエイティブが第1のクリエイティブであって、方法が、
コンテンツアイテムの第2の要求を受信するステップと、
前記第2の要求の受信に応じて、
第2のクリエイティブを複数のクリエイティブから選択するステップであって、前記第2のクリエイティブが前記プロファイルを参照している、ステップと、
第2のコンテンツデータを前記1つまたは複数のコンテンツフィードから取り出すステップと、
前記第2のクリエイティブおよび前記第2のコンテンツデータをユーザデバイスに配信するステップとをさらに含む、請求項1に記載の方法。
【請求項９】
データ処理装置によって実施される方法であって、前記方法は、
コンテンツアイテムの要求を受信するステップと、
前記要求の受信に応じて、
プロファイルを複数のプロファイルから選択するステップであって、前記選択されたプロファイルが、前記コンテンツアイテムのコンテンツの構造を定義している1つまたは複数の要素を含み、前記1つまたは複数の要素の各々が、1つまたは複数の属性を含む、ステップと、
コンテンツデータを1つまたは複数のコンテンツフィードから取り出すステップであって、前記コンテンツデータが、前記選択されたプロファイルに含まれる前記1つまたは複数の要素の前記1つまたは複数の属性の値を含む、ステップと、
前記1つまたは複数のコンテンツフィードから切り離されている複数のクリエイティブからクリエイティブを選択するステップであって、前記選択されたクリエイティブが、前記選択されたプロファイルを識別するプロファイル識別子を含む、ステップと、
前記選択されたプロファイルの前記1つまたは複数の要素によって定義されているコンテンツの前記構造に従って前記選択されたクリエイティブについての前記1つまたは複数の属性の値として前記コンテンツデータおよび前記選択されたクリエイティブをユーザデバイスによって表示するために、前記取り出したコンテンツデータおよび前記選択されたクリエイティブを前記ユーザデバイスに配信するステップとを含む、方法。
【請求項１０】
前記要求が、前記ユーザデバイスにおけるアプリケーション実行から受信される、請求項9に記載の方法。
【請求項１１】
前記プロファイルが、最適化データおよび前記ユーザデバイスにおける前記アプリケーション実行に基づいて、前記複数のプロファイルから選択される、請求項10に記載の方法。
【請求項１２】
前記最適化データが、前記複数のプロファイルについての実績の履歴、前記ユーザデバイスにおける前記アプリケーション実行に関連したデモグラフィック情報、または前記ユーザデバイスの性能を含む、請求項11に記載の方法。
【請求項１３】
前記プロファイルが、リアルタイムプロファイル選択オークションの実施に応じて、前記複数のプロファイルから選択される、請求項9に記載の方法。
【請求項１４】
前記プロファイル識別子が、前記プロファイルに一意に対応する前記選択されたクリエイティブに埋め込まれた英数字の識別子である、請求項9に記載の方法。
【請求項１５】
前記複数のクリエイティブの各々が、プロファイルに一意に対応する英数字の識別子を含む、請求項14に記載の方法。
【請求項１６】
前記1つまたは複数のコンテンツフィードが、カンマ区切りファイル、スプレッドシート、データベース、またはデータベースクエリを含む一群から選択される、請求項9に記載の方法。
【請求項１７】
前記要求とともに受信したデータに基づいて、前記1つまたは複数のコンテンツデータフィードを選択するステップとをさらに含む、請求項9に記載の方法。
【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
壁を有し、前記壁の内表面から複数の突出部材が延在し、かつ前記壁の前記内表面を横切って分散し、前記突出部材は、圧縮力が第１のケーシング部分に加えられる場合に変形するように構成されている、第１のケーシング部分と、
電力をワイヤレスに受信または送信するように構成されたコイルであって、前記突出部材の周りに延在するコイルと、
前記コイルが格納されるチャンバを形成するように前記第１のケーシング部分に接続される第２のケーシング部分と
を備える、ワイヤレス電力伝送装置。
【請求項２】
前記第１のケーシング部分は、ポッティング材を用いて埋め込まれ、ポッティング材と突出部材の組合せは、前記圧縮力の下における変形の程度を制限するよう構成されている、請求項１に記載のワイヤレス電力伝送装置。
【請求項３】
前記第１のケーシング部分の前記壁は、外部圧縮力に耐えるように構成される、請求項１に記載のワイヤレス電力伝送装置。
【請求項４】
少なくとも１つの前記突出部材は、前記第２のケーシング部分の内表面に接しており、使用中に前記第１のケーシング部分の前記壁に加えられた外部圧縮力に耐えることが可能な材料を備える、請求項１または２に記載のワイヤレス電力伝送装置。
【請求項５】
少なくとも１つの前記突出部材および前記第２のケーシング部分の内表面は、前記第１のケーシング部分の前記壁が圧縮力の下で変形する場合に接触する、請求項１から３のいずれか一項に記載のワイヤレス電力伝送装置。
【請求項６】
前記突出部材は、前記第１のケーシング部分の前記壁と一体的に形成される、請求項１から４のいずれか一項に記載のワイヤレス電力伝送装置。
【請求項７】
前記コイルは、前記突出部材の周りに巻かれる、請求項１から５のいずれか一項に記載のワイヤレス電力伝送装置。
【請求項８】
少なくとも１つの前記突出部材は柱を備える、請求項１から７のいずれか一項に記載のワイヤレス電力伝送装置。
【請求項９】
前記チャンバ内に位置し、少なくとも１つの前記突出部材によって所定の位置に固定される構成要素をさらに備える、請求項１から８のいずれか一項に記載のワイヤレス電力伝送装置。
【請求項１０】
前記構成要素は、透磁性部材、電気絶縁部材、または物理的保護部材を含むグループから選択される、請求項９に記載のワイヤレス電力伝送装置。
【請求項１１】
ワイヤレス電力伝送装置を製造する方法であって、
壁を有し、前記壁の内表面から複数の突出部材が延在し、かつ前記壁の前記内表面を横切って分散し、前記突出部材は、圧縮力が第１のケーシング部分に加えられる場合に変形するように構成されている、第１のケーシング部分を設けるステップと、
前記複数の突出部材の周りにコイルを位置付けるステップであって、前記コイルは、電力をワイヤレスに受信または送信するように構成され、前記壁は、外部圧縮力に耐えるように構成されている、ステップと、
前記コイルが格納されるチャンバを形成するように前記第１のケーシング部分に第２のケーシング部分を接続するステップと
を備える方法。
【請求項１２】
ポッティング材を用いて前記第１のケーシング部分を埋め込むステップと、前記圧縮力の下における変形の程度を制限するために、前記ポッティング材および前記突出部材の組合せを構成するステップとをさらに備える、請求項１１に記載の方法。
【請求項１３】
前記複数の突出部材の周りに前記コイルを位置付けるステップは、１または複数の前記突出部材の周りに１本の導電性材料を巻くステップを備える、請求項１１に記載の方法。
【請求項１４】
前記第１のケーシング部分に前記第２のケーシング部分を接続する前に、少なくとも１つの前記突出部材によって所定の位置に構成要素が固定されるように、前記コイルの上に前記構成要素を位置付けるステップをさらに備える、請求項１１〜１３のいずれか一項に記載の方法。
【請求項１５】
少なくとも１つの前記突出部材は、前記第２のケーシング部分の内表面に接しており、使用中に前記第１のケーシング部分の前記壁に加えられた外部圧縮力に耐えることが可能な材料を備える、請求項１１〜１４のいずれか一項に記載の方法。
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
リソグラフィ装置で使用するための基板ホルダであって、
表面を有する本体と、
前記表面から突出する複数のバールであって、基板を支持する端面を有する複数のバールと、
電気コンポーネントを形成する、前記本体の表面上の薄膜スタックであって、導電層を含み、前記導電層は、該導電層が位置決めされる前記スタックの平面の全体にわたって実質的に均一に電荷を分散させ、前記薄膜スタックは、前記本体の表面上に形成された平坦化層を含み、前記本体の表面の粗さが前記平坦化層によって埋められて、前記本体の表面よりも実質的に平滑な面であって、薄膜コンポーネントを形成するために金属層又は他の層を確実に形成するための実質的に平滑な面を提供する、薄膜スタックと、を備える基板ホルダ。
【請求項２】
前記導電層は、平面視で、パターン形成されない、請求項１に記載の基板ホルダ。
【請求項３】
前記導電層は、平面視で、前記スタックの実質的に全領域にわたって延在する、請求項１又は２に記載の基板ホルダ。
【請求項４】
前記導電層は金属層である、請求項１〜３のいずれか１項に記載の基板ホルダ。
【請求項５】
前記平坦化層は前記導電層を含む、請求項１〜３のいずれか１項に記載の基板ホルダ。
【請求項６】
前記薄膜スタックは、前記導電層と前記平坦化層との間に絶縁層を含む、請求項１〜３のいずれか１項に記載の基板ホルダ。
【請求項７】
少なくとも前記導電層に隣接する層は絶縁層である、請求項１〜６のいずれか１項に記載の基板ホルダ。
【請求項８】
前記導電層は前記本体に電気的に接続される、請求項１〜７のいずれか１項に記載の基板ホルダ。
【請求項９】
前記導電層は浮動電極である、請求項１〜８のいずれか１項に記載の基板ホルダ。
【請求項１０】
前記薄膜スタックは、電極層であるさらなる導電層をさらに含む、請求項１〜８のいずれか１項に記載の基板ホルダ。
【請求項１１】
前記電極層及び前記導電層は絶縁層によって分離される、請求項１０に記載の基板ホルダ。
【請求項１２】
前記電極は、使用中、静電クランプの電極である、請求項１１に記載の基板ホルダ。
【請求項１３】
パターニングデバイスを支持するサポート構造と、
前記パターニングデバイスによってパターン形成されたビームを基板上に投影する投影システムと、
前記基板を保持する、請求項１〜１２のいずれか１項に記載の基板ホルダと、を備えるリソグラフィ装置。
【請求項１４】
リソグラフィ装置を使用したデバイス製造方法であって、
基板ホルダ内又は基板ホルダ上に基板を保持している間に、パターニングデバイスによってパターン形成されたビームを前記基板上に投影することを含み、前記基板ホルダは、
表面を有する本体と、
前記表面から突出する複数のバールであって、基板を支持する端面を有する複数のバールと、
電気コンポーネントを形成する、前記本体の表面上の薄膜スタックであって、導電層を含み、前記導電層は、該導電層が位置決めされる前記スタックの平面の全体にわたって実質的に均一に電荷を分散させ、前記薄膜スタックは、前記本体の表面上に形成された平坦化層を含み、前記本体の表面の粗さが前記平坦化層によって埋められて、前記本体の表面よりも実質的に平滑な面であって、薄膜コンポーネントを形成するために金属層又は他の層を確実に形成するための実質的に平滑な面を提供する、薄膜スタックと、を備える、デバイス製造方法。
【請求項１５】
リソグラフィ装置で使用する基板ホルダであって、
表面を有する本体と、
前記表面から突出する複数のバールであって、基板を支持する端面を有する複数のバールと、
電気コンポーネントを形成する、前記本体の表面上の薄膜スタックあって、平面視で前記スタックの実質的に全領域にわたって延在する導電層を含み、前記本体の表面に形成された平坦化層を含む、薄膜スタックと、を備える基板ホルダ。
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
活性領域を含む半導体構造を有するデバイスであって、該活性領域が、複数の量子井戸と交互に配置された複数の障壁を含む発光ヘテロ構造を含み、該複数の障壁における障壁もしくは該複数の量子井戸における量子井戸のうちの少なくとも１つが、該障壁もしくは該量子井戸のうちの少なくとも１つの外側部分に配置された、微細構造領域を含む複数の領域を含み、該微細構造領域が、成長方向に配列された複数のサブスケールの特徴を含み、
前記複数のサブスケールの特徴が、複数のサブスケールの量子井戸と交互に配置された複数のサブスケールの障壁を含み、該複数のサブスケールの障壁は、複数の異なる高さのサブスケールの障壁を含む、デバイス。
【請求項２】
前記微細構造領域が、さらに様々な組成の、第一の横方向に離散された複数のサブ領域を含み、該第一の横方向に離散された複数のサブ領域のそれぞれは、ナノメートルサイズからマイクロメートルサイズまでの範囲の横方向のサイズを有し、該微細構造領域が、実質的に連続する横方向の組成を有する、前記複数の障壁における障壁もしくは前記複数の量子井戸における量子井戸のうちの少なくとも１つに隣接する、請求項１に記載のデバイス。
【請求項３】
前記微細構造領域が、さらに、様々な組成の、第二の横方向に離散した複数のサブ領域を含み、該第二の横方向に離散した複数のサブ領域は、前記第一の横方向に離散された複数のサブ領域の成長面に直に隣接する成長面の上に位置し、該第二の横方向に離散した複数のサブ領域が、前記第一の横方向に離散された複数のサブ領域と横方向に互い違いになっている、請求項２に記載のデバイス。
【請求項４】
前記微細構造領域が、交互に配置された圧縮応力および引張応力を有する複数のサブスケールの層を含む、請求項１に記載のデバイス。
【請求項５】
前記複数の領域が、さらに前記障壁もしくは該量子井戸のうちの少なくとも１つの第二の外側部分に配置された第二の微細構造領域を含む、請求項１に記載のデバイス。
【請求項６】
前記サブスケールの量子井戸が、様々な深さの量子井戸を含む、請求項１に記載のデバイス。
【請求項７】
前記微細構造領域が、障壁−量子井戸ヘテロ接合に隣接する前記複数の障壁における前記障壁にあり、前記複数の異なる高さが、前記ヘテロ接合に向かって減少する、請求項１に記載のデバイス。
【請求項８】
前記微細構造領域が、前記複数の障壁における前記障壁に位置され、前記サブスケールの障壁のそれぞれの高さが、前記複数の障壁における前記障壁の障壁高さよりも高くない、請求項１に記載のデバイス。
【請求項９】
前記微細構造領域が、前記複数の量子井戸における前記量子井戸に位置され、前記サブスケールの障壁のそれぞれの高さが、前記複数の量子井戸における前記量子井戸の量子井戸深さよりも高く、かつ前記量子井戸に隣接する一連の障壁のそれぞれよりも低い、請求項１に記載のデバイス。
【請求項１０】
前記サブスケールの特徴の少なくとも１つが横方向に不均一である、請求項１に記載のデバイス。
【請求項１１】
活性領域を含むＩＩＩ族窒化物材料で構成される半導体構造を有するデバイスであって、該活性領域が、複数の量子井戸と交互に配置された複数の障壁を含む発光ヘテロ構造を含み、該複数の障壁における障壁もしくは該複数の量子井戸における量子井戸のうちの少なくとも１つが、該障壁もしくは該量子井戸のうちの少なくとも１つの外側部分に配置された微細構造領域を含む複数の領域を含み、該微細構造領域が、交互に配置された圧縮応力および引張応力を有する複数のサブスケールの層を含む、デバイス。
【請求項１２】
前記半導体構造がＡｌＧａＮ材料で構成される、請求項１１に記載のデバイス。
【請求項１３】
前記複数の障壁における前記障壁が前記微細構造領域を含み、前記複数のサブスケールの層の少なくとも１つが、前記障壁のガリウム含有量よりも高いガリウム含有量を有する、請求項１２に記載のデバイス。
【請求項１４】
前記複数の量子井戸における前記量子井戸が前記微細構造領域を含み、前記複数のサブスケールの層の少なくとも１つが、前記量子井戸のアルミニウム含有量よりも高いアルミニウム含有量を有する、請求項１２に記載のデバイス。
【請求項１５】
前記微細構造領域は、横方向に配列された複数のサブスケールの特徴を含む、請求項１２に記載のデバイス。
【請求項１６】
半導体構造の活性領域を形成することを含み、該活性領域が発光ヘテロ構造を含み、該半導体構造の活性領域を形成することが、複数の量子井戸と交互に配置された複数の障壁を形成することを含み、該複数の障壁における障壁もしくは該複数の量子井戸における量子井戸のうちの少なくとも１つを形成することが、該複数の障壁における該障壁もしくは該複数の量子井戸における該量子井戸のうちの少なくとも１つに、該障壁もしくは該量子井戸のうちの少なくとも１つの外側部分に配置された微細構造領域を含む複数の領域を形成することを含み、該微細構造領域が、成長方向に配列された複数のサブスケールの特徴を含む、方法。
【請求項１７】
前記微細構造領域を形成することが、前記複数の障壁における前記障壁もしくは前記複数の量子井戸における前記量子井戸のうちの少なくとも１つのエピタキシャル成長の際にＶ／ＩＩＩ比を調整することを含む、請求項１６に記載の方法。
【請求項１８】
前記微細構造領域を形成することが、前記複数の障壁における前記障壁もしくは前記複数の量子井戸における前記量子井戸のうちの少なくとも１つのエピタキシャル成長の際に成長温度を調整することを含む、請求項１６に記載の方法。
【請求項１９】
前記微細構造領域を形成することが、微細スケールの超格子構造を形成するために、前記複数の障壁における前記障壁もしくは前記複数の量子井戸における前記量子井戸のうちの少なくとも１つのエピタキシャル成長の間に、Ｖ／ＩＩＩ比または成長温度の時間を調整することを含む、請求項１６に記載の方法。
【請求項２０】
前記微細構造領域を形成することが、有機金属前駆体および窒素前駆体をスイッチオンおよびスイッチオフするタイミングのパターンを制御することにより、パルシングエピタキシャル成長（ｐｕｌｓｉｎｇ  ｅｐｉｔａｘｉａｌ  ｇｒｏｗｔｈ）を含む、請求項１６に記載の方法。
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
ネットワークを経由して、ビデオ通信の間、ユーザによるアプリケーションへのアクセスを提供するためのコンピュータ実装方法であって、
少なくとも１つのコンピューティングデバイスを使用して、前記ネットワークを経由して、複数のユーザデバイス間にグループビデオ通信を確立するステップであって、前記グループビデオ通信は、少なくとも１人の個々のユーザによって使用するための１つ以上のパーソナルアプリケーションおよび１つ以上の共有アプリケーションを含む複数のアプリケーションと関連付けられる、ステップと、
グループビデオ通信セッションの間、前記コンピューティングデバイスを使用して、前記複数のユーザデバイスのうちの少なくとも１つ内のユーザインターフェースを介して、前記１つ以上のコンピューティングデバイスを使用して、前記パーソナルアプリケーションのうちの１つ以上または前記共有アプリケーションのうちの１つへの特定のユーザによるアクセスを有効にするステップと、
前記グループビデオ通信の間、前記コンピューティングデバイスを使用して、前記少なくとも１つのユーザデバイスから、前記パーソナルアプリケーションおよび前記共有アプリケーションのうちの少なくとも１つを使用するための要求を受信するステップと、
少なくとも部分的に、前記パーソナルアプリケーションおよび前記共有アプリケーションのうちの少なくとも１つを使用するための受信された要求に基づいて、前記パーソナルアプリケーションおよび前記共有アプリケーションのうちの１つを使用するステップと
を含む、方法。
【請求項２】
前記複数のユーザのうちの特定の１人によって以前に使用されたパーソナルアプリケーションの履歴を記憶するステップと、
表示のために、前記特定のユーザに、前記特定のユーザによって使用された前記パーソナルアプリケーションの履歴の標示を提供するステップであって、前記標示は、前記特定のユーザが、前記履歴から１つ以上のパーソナルアプリケーションを選択し、前記１つ以上のパーソナルアプリケーションを起動することを可能にするように構成される、ステップと
をさらに含む、請求項１に記載のコンピュータ実装方法。
【請求項３】
表示のために、前記複数のユーザからの特定のユーザに、前記特定のユーザが、パーソナルアプリケーションをお気に入りとして指定することを可能にするように構成される、ユーザインターフェースオプションを提供するステップをさらに含む、請求項１に記載のコンピュータ実装方法。
【請求項４】
表示のために、少なくともあるユーザに、前記ユーザのうちの任意の１人が、共有アプリケーション間を切り替えることを可能にするように構成される、ユーザインターフェースオプションを提供するステップをさらに含む、請求項１に記載のコンピュータ実装方法。
【請求項５】
一次通信チャネルに沿って、前記ユーザ間のグループビデオ通信に関連する通信を伝送し、共有アプリケーションの場合、前記共有アプリケーションのために前記一次通信チャネルを使用し、他の通信のための第２の通信チャネルを提供するステップをさらに含む、請求項１に記載のコンピュータ実装方法。
【請求項６】
他のユーザからの前記パーソナルアプリケーションの可視性をブロックするステップと、
ユーザを別のユーザがアプリケーションを以前に使用したビデオ通信に接続するステップと、
前記ユーザによる標示に応じて、前記以前に使用されたアプリケーションをロードするステップと
のうちの少なくとも１つ以上をさらに含む、請求項１に記載のコンピュータ実装方法。
【請求項７】
ネットワークを経由して、グループビデオ通信の間、ユーザによるアプリケーションへのアクセスを提供するためのシステムであって、
前記ネットワークを経由して、複数の前記ユーザ間のグループビデオ通信を使用するように構成される、１つ以上のプロセッサと、
前記複数のユーザに、個々のユーザによる使用のための１つ以上のパーソナルアプリケーションまたは前記複数のユーザのうちの少なくとも１人による使用のための１つ以上の共有アプリケーションを含む、複数のアプリケーションを提示するオプションを提供するためのビデオ通信アプリケーションモジュールと、
前記１つ以上のパーソナルアプリケーションまたは前記１つ以上の共有アプリケーションまたは両方を前記複数のユーザに表示するように構成される、ディスプレイと、
前記グループビデオ通信の間、ユーザが、前記パーソナルアプリケーションのうちの１つ以上または前記共有アプリケーションのうちの１つを使用することを可能にするように構成される、通信ユニットと
を含む、システム。
【請求項８】
前記アプリケーションが前記複数のユーザのうちの少なくとも幾人かによって使用されるにつれて記憶されるアプリケーションの履歴と、前記複数のユーザのうちの少なくとも幾人かによって以前に使用されたアプリケーションの履歴とのうちの少なくとも１つを伴う、データ記憶をさらに備える、請求項７に記載のシステム。
【請求項９】
前記１つ以上のプロセッサは、特定のユーザによって最近使用されたアプリケーションの順序によって、前記アプリケーションの履歴をソートする、請求項８に記載のシステム。
【請求項１０】
前記複数のユーザ間のグループビデオ通信のための一次通信チャネルであって、前記共有アプリケーションのための通信チャネルとなる、一次通信チャネルと、
他の通信のために使用される二次通信チャネルと
をさらに備える、請求項８に記載のシステム。
【請求項１１】
前記ビデオ通信モジュールは、他のユーザからの前記パーソナルアプリケーションの可視性をブロックする、請求項８に記載のシステム。
【請求項１２】
前記通信ユニットは、ユーザを別のユーザがアプリケーションを以前に使用したビデオ通信セッションに接続するように構成され、前記ビデオ通信モジュールは、前記ユーザによる標示に応じて、以前に使用されたアプリケーションをロードする、請求項８に記載のシステム。
【請求項１３】
アプリケーションは、前記アプリケーションに割り当てられるＵＲＬ内の識別によって識別され、
前記ＵＲＬは、ユーザによって、
１）前記アプリケーションを起動する、および
２）前記アプリケーションをユーザ履歴に追加し、他のユーザによるブラウジングを促進する
のうちの１つ以上を行なうために使用される、請求項８に記載のシステム。
【請求項１４】
登録されたアプリケーションのリストと、アプリケーションＵＲＬからロードされたアプリケーションを含む、組み合わせられたユーザ履歴とへのアクセスを提供するように構成される、一覧をさらに備える、請求項８に記載のシステム。
【誤訳訂正書】
【提出日】平成28年3月16日(2016.3.16)
【誤訳訂正１】
【訂正対象書類名】明細書
【訂正対象項目名】０１１５
【訂正方法】変更
【訂正の内容】
【０１１５】
例えば、有効用量は、投与の手段、標的部位、患者の生理的状態(年齢、体重、健康を含む)、患者がヒトであるか、それとも動物であるかということ、投与される他の医薬、及び治療が予防的なものであるか、それとも治療的なものであるかということによって異なり得る。通常、患者はヒトであるが、トランスジェニック哺乳動物を含む非ヒト哺乳動物を治療することもできる。治療投薬量は、安全性及び効力を最適化するように最適に漸増される。
【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
試料からの核酸の抽出及び貯蔵のための固体マトリクスであって、１種以上のタンパク質変性剤、１種以上の還元剤及び緩衝剤を含む組成物が固体マトリクス中に乾燥状態で存在しており、固体マトリクスが、セルロース、酢酸セルロース、ガラス繊維又はこれらの組合せを含む多孔性マトリクスである、固体マトリクス。
【請求項２】
固体マトリクス中に存在する組成物がさらに、ＵＶ抑制剤、ラジカル捕捉剤、キレート剤又はこれらの組合せを含む、請求項１記載の固体マトリクス。
【請求項３】
固体マトリクス中に存在する組成物がさらにＲＮａｓｅ阻害剤を含む、請求項１又は請求項２記載の固体マトリクス。
【請求項４】
固体マトリクスが周囲条件下において乾燥形態での核酸の長期貯蔵を可能にする、請求項１乃至請求項３のいずれか１項記載の固体マトリクス。
【請求項５】
多孔性マトリクスがセルロース紙である、請求項１乃至請求項４のいずれか１項記載の固体マトリクス。
【請求項６】
タンパク質変性剤が、グアニジニウム塩酸塩、チオシアン酸グアニジニウム（ＧＩＴＣ）、アルギニン、ドデシル硫酸ナトリウム（ＳＤＳ）、尿素及びこれらの組合せからなる群から選択される、請求項１乃至請求項５のいずれか１項記載の固体マトリクス。
【請求項７】
還元剤が、ジチオスレイトール（ＤＴＴ）、２−メルカプトエタノール（２−ＭＥ）、トリス（２−カルボキシエチル）ホスフィン（ＴＣＥＰ）及びこれらの組合せからなる群から選択される、請求項１乃至請求項６のいずれか１項記載の固体マトリクス。
【請求項８】
ＵＶ抑制剤又はラジカル捕捉剤が、ヒドロキノンモノメチルエーテル（ＭＥＨＱ）、ヒドロキノン（ＨＱ）、トルヒドロキノン（ＴＨＱ）及びアスコルビン酸からなる群から選択される、請求項２記載の固体マトリクス。
【請求項９】
ＲＮａｓｅ阻害剤がバナジルリボヌクレオシド複合体（ＶＲＣ）、ヌクレオチド類似体又は市販のＲＮａｓｅ阻害剤である、請求項３記載の固体マトリクス。
【請求項１０】
固体マトリクスが多孔性のセルロース性マトリクスであり、かつ
ａ）タンパク質変性剤がＧＩＴＣ、洗剤又はこれらの組合せであり、
ｂ）還元剤がＤＴＴ、ＴＣＥＰ又はこれらの組合せであり、かつ
ｃ）緩衝剤がＴｒｉｓ、ＭＥＳ又はＭＯＰＳである、請求項１記載の固体マトリクス。
【請求項１１】
さらにラジカル捕捉剤を含み、ラジカル捕捉剤がＭＥＨＱ、ＨＱ、ＴＨＱ又はアスコルビン酸を含む、請求項１０記載の固体マトリクス。
【請求項１２】
核酸を試料から抽出し貯蔵する方法であって、
ａ）固体マトリクスであって、１種以上のタンパク質変性剤、１種以上の還元剤、緩衝剤及び場合によりラジカル捕捉剤を含む組成物が乾燥状態で固体マトリクス中に存在しており、セルロース、酢酸セルロース、ガラス繊維又はこれらの組合せを含む多孔性マトリクスである固体マトリクスを用意する工程と、
ｂ）試料を固体マトリクスに適用して核酸を収集する工程と、
ｃ）固体マトリクスを乾燥する工程と、
ｄ）周囲条件下において核酸を乾燥状態で固体マトリクス上に貯蔵する工程と
を含む方法。
【請求項１３】
当該方法がさらに、固体マトリクスから核酸を回収することを含む、請求項１２記載の方法。
【請求項１４】
生物学的試料が血液、血清、組織、唾液又は細胞である、請求項１２記載の方法。
【請求項１５】
試料が精製した核酸試料又は組織培養細胞調製物である、請求項１２記載の方法。